(57)【要約】【課題】磁力や振動を含む外力による遊技球の転動に影響を与えるような不正行為を検出可能な遊技機の提供。【解決手段】  発射操作に基づいて発射された遊技球が入球可能な入球口１５、１７を設けた遊技盤４と、当該入球に基づいて遊技に係る制御を行う制御手段１００とを備える遊技機において、ケース体２１と、少なくとも磁性体を含み、ケース内に左右方向の軸２３２により前後方向へ回動可能に支持されるとともに、遊技機に対して磁石が接近した場合、又は遊技機に対して振動が与えられた場合の少なくともいずれかの外力によって、所定の初期位置から前方の変動位置へ回動可能な可動片２３と、ケース体２１内に配置され、可動片２３の初期位置から変動位置への回動を検出することに基づいて制御手段１００へ検出信号を出力する検出センサ２２とを設ける不正行為検出手段２０を備える。【選択図】図９
2017029558.tif 000002
【特許請求の範囲】
【請求項１】
発射操作に基づいて発射された遊技球が入球可能な入球口を設けた遊技盤と、当該入球に基づいて遊技に係る制御を行う制御手段とを備える遊技機において、
ケース体と、
少なくとも磁性体を含み、前記ケース内に左右方向の軸により前後方向へ回動可能に支持されるとともに、前記遊技機に対して磁石が接近した場合、又は前記遊技機に対して振動が与えられた場合の少なくともいずれかの外力によって、所定の初期位置から前方の変動位置へ回動可能な可動片と、
前記ケース体内に配置され、前記可動片の前記初期位置から前記変動位置への回動を検出したことに基づいて前記制御手段へ検出信号を出力する検出センサとを設ける不正行為検出手段を備えることを特徴とする遊技機。
【請求項２】
前記可動片は、前記遊技盤の盤面に平行する面である被吸引面を有し、少なくとも前記吸引面の一部を磁性体で構成することを特徴とする請求項１記載の遊技機。
【請求項３】
前記検出センサは、発光素子及び受光素子を有する受光装置であり、前記変動位置へ回動した前記可動片によって前記発光素子及び前記受光素子間の光が遮られたことに基づいて、前記制御手段へ前記検出信号を出力することを特徴とする請求項１または２記載の遊技機。
【発明の詳細な説明】
【技術分野】
【０００１】
本発明は、不正行為の対策が施された遊技機に関するものである。
【背景技術】
【０００２】
従来、パチンコ店等の遊技場に設置されている遊技機（パチンコ機、弾球遊技機）には、遊技領域に発射された遊技球の始動口への入賞に基づいて、遊技領域に設けられた役物装置（可変入賞球装置）内への遊技球の入球を許否可能な一対の可動片（羽根）が所定回数開放し、開放している間に入球した遊技球が役物装置内の特別入賞口に入賞すると、遊技状態を特定遊技状態に移行させ、さらに可動片が所定の最大回数を限度に繰り返し開放されることにより特定遊技状態が継続し、遊技球が入賞し易い状態となるように構成された遊技機がある。
【０００３】
また、同じく、遊技球が始動口に入賞したことに基づいて、遊技球の払出しや当否抽選が行われ、当否抽選の結果、大当りに当選した場合に、遊技状態を特定遊技状態に移行させ、大入賞口が複数回開放して、当該大入賞口に遊技球が入賞し易い状態となるように構成された遊技機がある。
上述のいずれの遊技機においても、遊技領域に発射された遊技球が入賞しなかった場合には、アウト口から遊技領域外に排出される。
【０００４】
このような遊技機に対して、外力による不正行為、例えば、磁石を用いたり、遊技機（遊技盤面）を振動させることにより、遊技球の流下（転動）方向を変更させたり、遊技球の流下を留めたりすることによって、持ち球を減らさず、又は早期に特定遊技状態へ移行させること行われる場合がある。
【０００５】
具体的に、上述の役物装置には、例えば、複数の誘導路が設けられ、誘導路の内の特定通路を通過する遊技球の特別入賞口への入賞確率が高くなるように構成するものがあるが、この場合において、遊技球が特定通路を通過し得ない方向へ転動したとしても、当該遊技球を磁石の磁力又は振動により転動方向を変更させることによって、強制的に特定通路に通過させて、特別入賞口に入賞させるようにして大当りとなる確率を高めるような不正行為が行われることがある。
【０００６】
また、上述の役物装置又は大入賞口を備える遊技機において、遊技領域を流下する遊技球を磁石の磁力によって留め、複数の遊技球を流下経路上に詰まらすことにより、葡萄状の塊を形成して、アウト口への遊技球の流路を塞ぎつつ、始動口へ導く流路を形成するようにして、持ち球を減らさずに、始動口への入賞機会を増加させ、大当りとなる確率を高めるような不正行為が行われることがある。
【０００７】
このような外力による不正行為を防止するために、例えば、磁石を用いた不正行為を検出する対策を施した遊技機（特許文献１）や、振動による不正行為を検出する対策を施した遊技機（特許文献２）がある。
【０００８】
特許文献１に記載の遊技機は、遊技機に磁石が近づけられた場合にリードスイッチの第１のリード及び第２のリードのうちいずれか一方が他方よりも先に磁化して接点部が互いに接触し、磁気の異常発生を報知する。
また、特許文献２に記載の遊技機は、振動を検出する振動センサを備え、当該振動センサは、センサケース内に、ばね部材によって片持ちで固定される重りと接触するように設けられ、重りから加えられた力の大きさに応じた電圧を発生する圧電素子において、電圧が所定量に達すると機枠を叩いたりして振動させる不正行為がされたものとして検出する。
【先行技術文献】
【特許文献】
【０００９】
【特許文献１】特開２００８−２４５８０５号公報
【特許文献２】特開２００８−２２８３３６号公報
【発明の概要】
【発明が解決しようとする課題】
【００１０】
しかしながら、上述のような磁石や振動等の外力による不正行為を検出するためには、不正行為に対応した検出手段（スイッチやセンサ）をそれぞれ設ける必要があり、遊技機内に検出手段ごとの設置スペースを要する。また、近年の様々な機能（部材）を搭載する遊技機においては、他部材との配置関係から、検出手段の設置スペースが制限されることがあり、例えば、各検出手段の好適な配置位置が同じである場合（例えば、各検出手段において、始動口の直下が好適な位置である場合）には、始動口の直下にはいずれか一方の検出手段しか配置することができない虞があり、始動口の直下に配置できない他方の検出手段の検出精度が低下する可能性があった。
【００１１】
本発明は、上記事情に鑑みてなされたものであり、磁力や振動を含む外力による遊技球の転動に影響を与えるような不正行為を検出可能な不正行為検出手段を設けた遊技機を提供することを目的とする。
【課題を解決するための手段】
【００１２】
上記目的を達成するために、第１の発明は、発射操作に基づいて発射された遊技球が入球可能な入球口を設けた遊技盤と、当該入球に基づいて遊技に係る制御を行う制御手段とを備える遊技機において、ケース体と、少なくとも磁性体を含み、前記ケース内に左右方向の軸により前後方向へ回動可能に支持されるとともに、前記遊技機に対して磁石が接近した場合、又は前記遊技機に対して振動が与えられた場合の少なくともいずれかの外力によって、所定の初期位置から前方の変動位置へ回動可能な可動片と、前記ケース体内に配置され、前記可動片の前記初期位置から前記変動位置への回動を検出したことに基づいて前記制御手段へ検出信号を出力する検出センサとを設ける不正行為検出手段を備える。
【００１３】
第１の発明では、いわゆるゴト行為（不正行為）を行う不正行為者が、遊技球を入球口へ誘導させるために、遊技機に不正に磁石（不正磁石）を接近させたり、遊技機を叩いたりして遊技機（遊技盤）を振動させたり、またそれらの不正行為が合わせて行われたりすると、不正行為検出手段は、可動片が前方へ回動することによって、検出センサが可動片の変動位置への回動を検出して、制御手段へ検出信号を出力することで、不正磁石の近接による不正行為を検出することができる。
【００１４】
第２の発明は、第１の発明において、前記可動片は、前記遊技盤の盤面に平行する面である被吸引面を有し、少なくとも前記吸引面の一部を磁性体で構成する。
【００１５】
第２の発明では、可動片に磁性体で構成された遊技盤の盤面に平行する面である吸引面を設けることにより、磁力（磁界）の影響を受ける範囲を遊技盤面に沿って拡張させることができ、遊技機に不正磁石を接近させた際の検出精度を向上させることができる。
【００１６】
第３の発明は、第１の発明または第２の発明において、前記検出センサは、発光素子及び受光素子を有する受光装置であり、前記変動位置へ回動した前記可動片によって前記発光素子及び前記受光素子間の光が遮られたことに基づいて、前記制御手段へ前記検出信号を出力する。
【００１７】
第３の発明では、受光装置が可動片の変動位置への回動を検出することに基づいて、不正行為の判断を行うようになっているため、検出手法も簡便であり、判断に係る制御が容易である。
【発明の効果】
【００１８】
本発明によれば、磁力や振動を含む外力による遊技球の転動に影響を与えるような不正行為を検出することができる。
【図面の簡単な説明】
【００１９】
【図１】第１の実施形態に係る遊技機の斜視図である。
【図２】同じく遊技機の遊技盤の正面図である。
【図３】図２におけるIII―III断面図である。
【図４】図２におけるIＶ―IＶ断面図である。
【図５】同じく遊技機の磁気振動検出ユニットの右上方から見た分解斜視図である。
【図６】同じく遊技機の磁気振動検出ユニットの右上方から見た斜視図である。
【図７】同じく遊技機の磁気振動検出ユニットの右上方から見た斜視図である。
【図８】図６におけるVII―VII断面図である。
【図９】図７におけるVIII―VIII断面図である。
【図１０】変形例１の要部の縦断面図である。
【図１１】変形例５に係る遊技機の遊技盤の正面図である。
【発明を実施するための形態】
【００２０】
以下、図１〜図１１を参照し、発明の本実施形態、及び変形例を通じて本発明を詳説するが、以下の実施形態及び変形例は特許請求の範囲に係る発明を限定するものではなく、実施形態の中で説明される特徴の組み合わせの全てが発明の解決手段に必須であるとは限らない。
なお、以下の説明において遊技機（パチンコ機）の各部の左右方向は、その遊技機に対面する者にとっての左右方向に合わせて説明する。すなわち、遊技機の正面から説明する場合は、遊技機の正面に対面する者（例えば、遊技者）の視点を基準とする。
【００２１】
図１に示すように、遊技場の島設備に設置される遊技機１は、縦長矩形の枠状の枠部材２に装着され、遊技球が流下可能な遊技領域４ａ（図２参照）を有する透明の合成樹脂で形成された遊技盤４を備え、その前面には遊技盤４の前面を、保護するとともに視認可能な透明のガラス板５ａを嵌め込んだガラス枠５が、枠部材２に固定された上下の蝶番５ｂ、５ｂにより垂直軸回りに開閉自在に取り付けられる。ガラス枠５には、遊技状況に応じて、効果音を出力するスピーカ６Ｌ、６Ｒや、発光態様が変化する電飾装置７等が設けられる。遊技機１の下側には、遊技球を遊技領域４ａへ発射可能な発射装置（図示省略）に遊技球を供給し、遊技球の入賞に基づいて払い出される賞球等を一時的に貯留するための上受皿８ａと、上受皿８ａに貯留された遊技球を導入可能であって、当該遊技球を遊技機１とは別体の遊技球収容箱（図示省略）に排出可能な下受皿８ｂとが設けられる。下受皿８ｂの右方には、遊技領域４ａへ発射される遊技球の発射力を調整するための発射ハンドル９が設けられる。
【００２２】
図２に示すように、遊技盤４の前面には、ガイドレールＧＬにより包囲される略円形の遊技領域４ａが形成される。遊技領域４ａには、遊技球の流下方向を変化させる多数の遊技釘Ｎや風車Ｗが各所に設けられる。遊技領域４ａの略中央には、可動役物を動力（モータ、ソレノイド等）により駆動し、発光素子（ＬＥＤ等）を発光させることにより様々な演出を行うセンター役物１１が設けられる。センター役物１１は、センター役物１１の左側に設けられたワープ孔１１１に進入した遊技球を導入可能とし、導入された遊技球を前後左右に転動させ、後述する第１始動入賞口１５へ向けて遊技球を誘導可能なステージ１１ａを設ける。センター役物１１の後側には、図２において鎖線で現される演出表示装置（ＬＣＤ等）１２が配置され、センター役物１１の中央に形成された前後方向に貫通する開口部１１ｂから表示画面１２ａが視認可能となっている。表示画面１２ａには、遊技状況に応じた情報が表示され、例えば、キャラクタや、数字等から構成され、変動後に停止する態様で表示（変動表示又は停止表示ともいう）される演出図柄や、物語性を有するストーリー演出等が表示される。後述する大当り抽選の結果、当選した（大当りとなった）場合には、演出図柄として、例えば「７、７、７」が停止表示され、大当り遊技が開始される。
【００２３】
遊技領域４ａには、発射ハンドル９の発射操作によって遊技領域４ａに発射された遊技球が入賞可能な一般入賞口１４と、センター役物１１のステージ１１ａの直下に配置され、遊技領域４ａを流下する遊技球及びステージ１１ａの前側から落下した遊技球が入賞可能な第１始動入賞口（入球口）１５と、第１始動入賞口１５の下方に配置され、遊技球が入賞可能な第２始動入賞口（入球口）１７と、後述するスルーチャッカ１６の遊技球の通過に基づいて、始動役物ソレノイド（図示省略）が作動して、第２始動入賞口１７へ遊技球が入球不能な閉鎖状態から遊技球が入賞可能な開放状態へ変動可能な開閉部材１７２（第２始動入賞口１７、開閉部材１７２、始動役物ソレノイド等を合わせて第２始動電動役物ともいう）と、遊技領域４ａの右領域（センター役物１１の右側の領域）に配置され、遊技球が通過可能なスルーチャッカ１６と、スルーチャッカ１６の下方に設けられ、大当り抽選の当選に基づく大当り遊技（特別遊技）への移行に基づいて、アタッカー用ソレノイド（図示省略）が作動して、閉鎖状態の開閉部材１８２を開放することによって、遊技球が入賞可能なアタッカー（大入賞口、入球口）１８と、発射装置から発射された遊技球を遊技領域４ａの右領域へ誘導するための右打ち通路４ｂと、遊技領域４ａに打ち込まれた遊技球のうち第１始動入賞口１５、第２始動入賞口１７、アタッカー１８等に入賞しなかった遊技球を遊技盤４の裏面側に排出するアウト口１９等が設けられる。
【００２４】
なお、後述する主制御基板１１０によって、第１始動入賞口１５や第２始動入賞口１７への遊技球のそれぞれの入賞に基づいて、大当りか否かを決定するための大当り抽選がそれぞれ行われ、また、スルーチャッカ１６への遊技球の通過に基づいて、開閉部材１７２を開放状態へ変動させるか否かを決定するための変動抽選が行われる。また一般入賞口１４を含む各入賞口への入賞に基づいて、所定数の遊技球の払出しが行われる。
【００２５】
また、遊技盤４の裏面にあって、第１始動入賞口１５と第２始動入賞口１７との間には、磁気振動検出ユニット（不正行為検出手段）２０が配置されている。
なお、本実施形態のように遊技盤４が透明である場合には、遊技盤４を透して、磁気振動検出ユニット２０の存在が把握されてしまう虞がある。これを回避するために、例えば、磁気振動検出ユニット２０が配置される遊技盤４の前面に、磁力線の通過に影響を与えない材料をもって、不透明の飾り板を設けたり、シールを貼付したり、塗装したり、表面加工等を施すことにより磁気振動検出ユニット２０が視認できないように構成して、その位置を特定されないようにするのが良い。
【００２６】
図３に示すように、第１始動口センサ１５１、第２始動口センサ１７３、及び磁気振動検出ユニット２０は、遊技機１の裏面に配置された制御基板（制御手段）１００（遊技全体を統括的に制御する主制御基板（制御手段）１１０、主制御基板１１０からの指令に基づいて演出対象物を制御する副制御基板（演出制御基板）１２０を含んで構成される制御基板）に電気的に接続される。主制御基板１１０は、大当り遊技においてアタッカー１８の開閉を制御し、多量の遊技球をアタッカー１８へ入賞可能とする遊技者に有利な遊技状態を提供可能とする。
【００２７】
次に、図３〜図９を参照して、磁気振動検出ユニット（不正行為検出手段）２０について説明をする。
図５に示すように、磁気振動検出ユニット２０は、遊技盤４の裏面に固定される箱体（ケース体）２１と、箱体２１の上向き開口２１ｅを閉塞する蓋体２４と、箱体２１内に収容される検出センサ２２及び揺動部材２３とを有して構成され、図３及び図４に示すように、その全体を遊技盤４の裏面に取付け、取り外しできるようにユニット化されている。
【００２８】
図５等に示すように、箱体２１（ケース体）は、合成樹脂で成形され、前板２１ａ、背板２１ｂ、側板２１ｃ、２１ｃ、底板２１ｄを有し、上方が開放する開口２１ｅを有する略箱型をなしている。
【００２９】
箱体２１の内部は、側板２１ｃ、２１ｃの後部が前部よりも互いに内側へ肉厚となって段状をなすことにより平面視凸型の空間を形成している。箱体２１内部の前側のより広い空間には、検出センサ２２が収容される。また、側板２１ｃ、２１ｃの肉厚部分の内側には、揺動部材２３を支持する凹状の軸受部２１１、２１１、同じく上面には、蓋体２４を箱体２１の上側を閉鎖する際に位置決めするために上方へ突出する位置決め突部２１２、２１２、及び位置決めした蓋体２４を箱体２１の上側に固定するためのネジＳ１、Ｓ１が螺合するネジ孔２１３、２１３がそれぞれ形成されている。
【００３０】
箱体２１の側板２１ｃ、２１ｃの外側面には、側方へ突出し、ネジＳ２が挿通可能な前後方向のネジ挿通孔２１６ａを有する取付片２１６、２１６が設けられる。また、取付片２１６には、その前面周縁に沿って、正面視横向きＵ字状に前方へ突出する嵌合片２１６ｂが設けられる。
この取付片２１６の嵌合片２１６ｂ、２１６ｂには、遊技盤４の裏面に後方へ突出するように形成され、前後方向のネジ孔を設けるボス４ｃ（図４参照）の後端が嵌合可能となっている。
【００３１】
箱体２１の底板２１ｄには、検出センサ２２を位置決めするための位置決め孔２１４、２１４と、検出センサ２２を固定するためのネジＳ３が螺合するネジ孔２１５とが形成されている。
【００３２】
検出センサ２２は、検出部２２Ａとして、例えば、フォトインタラプタ（受光装置、透過型フォトセンサ）であって、発光素子２２１と受光素子２２２を互いに対向するように設け、その間を検出物体（本実施形態の場合には、後述する揺動片２３４の被検出部２３４ｂ）が発光素子２２１の光を遮ることにより、検出物体を検出する機能を有する。
【００３３】
なお、発光素子２２１には、例えば赤外発光ダイオードが採用され、受光素子２２２には、例えばシングルフォトトランジスタ等が採用される。検出センサ２２に使用している発光素子２２１及び受光素子２２２はモールド成形されており、当該モールド成形に係る樹脂として、発光や受光の効率を上げるために、フィラーが無い純度の高いエポキシ樹脂を採用している。
【００３４】
具体的に、検出センサ２２は、ベース体２２０と、検出部２２Ａを構成する発光素子２２１及び受光素子２２２と、コネクタ２２３とから構成され、発光素子２２１及び受光素子２２２は発光面と受光面とが互いに向き合うようにベース体２２０の上面に設けられる。ベース体２２０の一側部には制御基板１００に電気的に接続されるコネクタ２２３が設けられており、他側部には、上下方向を向き、検出センサ２２を箱体２１の底板２１ｄにネジ止め固定するためのネジＳ３を挿通可能なネジ挿通孔２２４が設けられる。また、ベース体２２０の底面のコネクタ２２３側（一側部）には、その手前と奥の両側に下方へ突出する位置決め片２２５、２２５が設けられる。
【００３５】
揺動部材（可動片）２３は、左右方向に延びる軸部２３２及び軸部２３２の長手方向の中央から下方へ延出する取付片２３３を有する軸部材２３１と、磁性体の金属板であって、曲げ加工により平面視略Ｌ字型をなし、前方を向く面が軸部２３２の軸方向に延びるとともに遊技盤４の盤面と平行な被吸引面２３４ａ、及び被吸引面２３４ａの後側にあって、側面が遊技盤４の盤面と直交する被検出部２３４ｂを有する揺動片（可動片）２３４とから形成される。なお、被吸引面２３４ａは、揺動部材２３の回動時において検出センサ２２と接触しない位置に設けられている。
【００３６】
軸部材２３１の取付片２３３には、取付片２３３に揺動片２３４をネジＳ４によりネジ止め固定するためのネジ孔２３３ａと、一側方（右方）へ突出する位置決め突部２３３ｂとが形成される。また、揺動片２３４には、左右方向に貫通しネジＳ４が挿通可能なネジ挿通孔２３４ｃと、取付片２３３の位置決め突部２３３ｂが側方から嵌合可能な位置決め孔２３４ｄとが形成される。
【００３７】
また、軸部２３２の軸端部２３２ａを軸受部２１１内に上方から緩く嵌合させることにより、揺動部材２３は、軸部２３２を介して箱体２１の軸受部２１１、２１１に前後方向に回動可能に支持され、鉛直方向を向く初期位置（図６及び図８に示す位置）と、軸部２３２を中心に前方へ回動して先端の被検出部２３４ｂが検出センサ２２に検出される検出位置（図７及び図９に示す、変動位置、発光素子２２１と受光素子２２２との間の位置）とに揺動（回動）することが可能となっている。この場合、揺動部材２３を、初期位置と検出位置との間のみに回動範囲を制限してもよく、また、初期位置または検出位置を超えるように回動可能なように回動範囲を制限しないようにしてもよい。
このように、被検出部２３４ｂは、揺動部材２３が回動した際に、検出センサ２２に検出される位置に設けられているが、被吸引面２３４ａは、揺動部材２３が回動した際に、検出センサ２２に検出されない位置に設けられている。
【００３８】
本実施形態の遊技機では、揺動部材２３全体を磁性体で構成しているが、ベースを合成樹脂等で成形して、必要に応じて、例えば、被吸引面２３４ａ及び被検出部２３４ｂの少なくともいずれかに磁性体を組み込んだり、被覆するようにして、磁性体を設けるようにしてもよい。
【００３９】
蓋体２４は、箱体２１と同様の合成樹脂で成形され、箱体２１の開口２１ｅを閉鎖可能なように矩形板状をなしている。また、蓋体２４には、その略中央に左右方向の長矩形状の開口部２４１が形成され、蓋体２４の両側部には、ネジＳ１が挿通可能なネジ挿通孔２４３、２４３が形成される。また、開口部２４１とネジ挿通孔２４３の間には、箱体２１の位置決め突部２１２が下方から嵌合可能な位置決め孔２４２、２４２が設けられる。
【００４０】
図５に示すように、磁気振動検出ユニット２０の組立ては、次のようにして行われる。先ず、検出センサ２２を上方から箱体２１内に収容するとともに位置決め片２２５、２２５を箱体２１の位置決め孔２１４、２１４に嵌合させて位置決めし、ネジ挿通孔２２４にネジＳ３を挿通させて、検出センサ２２を箱体２１の底板２１ｄのネジ孔２１５にネジ止め固定する。
【００４１】
次に、予め取付片２３３の位置決め突部２３３ｂに揺動片２３４の位置決め孔２３４ｄを嵌合させた状態で、ネジＳ４をもって揺動片２３４を取付片２３３の右側面にネジ止め固定した揺動部材２３を箱体２１内に収容するとともに、軸部２３２の軸端部２３２ａを箱体２１の軸受部２１１、２１１に回動可能に嵌合する。
【００４２】
次に、蓋体２４によって箱体２１の開口２１ｅを閉鎖するため、箱体２１の位置決め突部２１２、２１２に蓋体２４の位置決め孔２４２、２４２を嵌合させて位置決めし、ネジ挿通孔２４３、２４３にネジＳ１を挿通させて、箱体２１のネジ孔２１３、２１３に螺合することによって、蓋体２４を箱体２１の上部にネジ止め固定する。なお、この際、揺動部材２３の軸部２３２の上部表面が蓋体２４の開口部２４１から外部へ露出するようになっている。
【００４３】
このように、磁気振動検出ユニット２０は、揺動部材２３が箱体２１に前後方向に揺動可能なように収容され、かつ検出センサ２２が揺動片２３４の検出位置への揺動を検出可能となるように構成される。
【００４４】
この組み立てられた磁気振動検出ユニット２０を、後方からネジＳ２を取付片２１６のネジ挿通孔２１６ａ、２１６ａを挿通させて、遊技盤４の裏面にネジ止め固定する（図４参照）。
【００４５】
主制御基板（制御手段）１１０は、検出センサ２２からの検出信号に基づいてエラー発生と判断して、大当り抽選や変動抽選を停止または無効とする制御や、発射ハンドル９を操作した場合であっても、所定期間、発射装置から遊技球を発射できないような制御処理（不正行為抑制処理）を行う。また、主制御基板１１０は、検出センサ２２からの検出信号に基づいて、エラーが発生した旨の信号（エラー信号）を演出制御基板に送信し、演出制御基板は、スピーカ６Ｌ、６Ｒから警告音を出力させたり、電飾装置７において警告ランプを点灯させたり、演出表示装置１２の表示画面１２ａに、不正行為が行われている旨を示す演出画像や、不正行為を抑制するような警告画像を表示さるような制御処理（不正行為抑制処理）を行う。
なお、主制御基板１１０が不正行為抑制処理を行わない遊技仕様の場合は、検出センサ２２の検出信号を演出制御基板が（直接または間接的に）受信して、それに基づいて不正行為制御処理を行うようにしてもよい。
【００４６】
次に、図６〜図９を参照して、不正に磁石（不正磁石）を使用したり、遊技機１を振動にさせたりする不正行為（以下、単に不正行為ともいう）が行われた際の、磁気振動検出ユニット２０の作動態様について説明する。
図６及び図８に示すように、磁気振動検出ユニット２０は、不正行為が行われていない初期状態では、揺動部材２３の揺動片２３４が鉛直方向へ垂下した初期位置に位置している。
【００４７】
例えば、遊技盤４の前方から第１始動入賞口１５や第２始動入賞口１７に不正磁石を近づけたり、遊技機１を叩いたりして遊技盤４を振動させたりすると、図７及び図９に示すように、揺動片２３４は、前方へ回動して検出センサ２２を通過する。検出センサ２２は、揺動片２３４の被検出部２３４ｂの通過を検出し、検出信号を主制御基板１１０へ送信する。
【００４８】
以上の構成から、遊技盤４に、例えば、遊技球の転動（流下）に影響を与える不正磁石を接近させた場合、振動が与えられた場合、または磁力（不正磁石の接近に基づく磁力）及び振動の外力が合わせて与えられた場合には、揺動部材２３の揺動片２３４が前方へ回動（揺動）して検出センサ２２を通過するため、検出センサ２２は、揺動部材２３の回動を検出して不正行為を検出する。そして、検出センサ２２による検出信号により、主制御基板１１０は磁気または振動によるエラー発生と判断し、上述の不正行為抑制処理を行うことにより、不正行為を防止することができる。
【００４９】
また、磁気振動検出ユニット２０は、構造が単純で、かつ検出センサ２２及び揺動部材２３が箱体２１に組み付けられた形態でユニット化されているため、遊技盤４に対する組み付けを容易に行うことができる。また、磁気振動検出ユニット２０自体が小型であるため、省スペースで配置可能であるとともに、機種に依存することなく、共通化が図れ、リユースが可能となっている。
また、揺動片２３４の通過の検出によって、不正行為の判断を行うようになっているため、検出手法も簡便であり、判断に係る制御が容易である。
【００５０】
また、揺動片２３４は、遊技盤４の盤面に平行な面の被吸引面２３４ａを有することによって、磁力（磁界）の影響を受ける範囲を遊技盤面に沿って拡張させることができ、遊技機に不正磁石を接近させた際の検出精度を向上させることができる。
【００５１】
本実施形態では、第１始動入賞口１５や第２始動入賞口１７の近傍で発生する振動及び磁力は、遊技球の流下に影響を与える不正行為に係る外力とみなして、磁気振動検出ユニット２０を第１始動入賞口１５や第２始動入賞口１７の近傍に設置した。これにより、従来はスペース等の問題により困難であった振動及び磁力という複数種類の外力の適切な検知を、最もこれらの外力の影響が懸念される第１始動入賞口１５や第２始動入賞口１７の近傍で適切に検知することが可能となっている。
【００５２】
以上、本発明の実施形態の説明を通して遊技機の要部である磁気振動検出ユニット２０について詳説したが、本発明の要旨を逸脱しない範囲内で、本実施形態に対して、次のような変形や変更を施すことが可能である。また、上記の本実施形態及び下記変形例におけるそれぞれの構成部材や処理や条件等を適宜組み合わせることが可能である。
【００５３】
（変形例１）
図１０に示すように、本実施形態の磁気振動検出ユニット２０における箱体２１の底板２１ｄ上であって、初期位置における揺動片２３４の先端に対向する位置に磁石ＭＧを設ける。例えば、箱体２１の底板２１ｄ上に、磁石ＭＧを着脱可能に形成された磁石ホルダ２１８に磁石ＭＧを取付ける。なお、磁石ＭＧの位置は底板２１ｄ上に限定されず、背板２１ｂに配置するようにしてもよい。
【００５４】
この構成により、磁石ＭＧの磁力によって揺動片２３４を、確実に初期位置で保持することができる。これにより、微弱な磁力や振動では揺動片２３４が回動（特に前方への回動）しないため、通常の（正常な）遊技においても発生し得るような外力（磁力や振動）の誤検出を防止することができる。また、磁石を着脱可能とすることにより、必要に応じて磁石ＭＧを外したり、磁石ＭＧを異なる磁石（異なる磁力を有するものや、形状や大きさが異なる磁石等）と交換することができたり、遊技機の設置や運搬環境に応じて適宜最適な構成とすることができる。
【００５５】
（変形例２）
本実施形態の磁気振動検出ユニット２０の揺動片２３４の先端の重量が大となるように、例えば錘を設ける。
揺動片２３４は、先端を重くすることによって、遊技機１（遊技盤４）の振動を受けてより確実に回動するため、遊技機１を振動させた際の検出精度を向上させることができる。
【００５６】
（変形例３）
本実施形態の磁気振動検出ユニット２０を遊技盤４の表面側に設ける。この場合には、磁気振動検出ユニット２０を、遊技球の流路を形成する構成部材の一つとするか、又は遊技球の流路を妨げない位置に設ける。
【００５７】
（変形例４）
本実施形態の磁気振動検出ユニット２０を遊技盤４の近傍でかつ、遊技機１の前面側の構成部材、例えば、スピーカ６Ｌ、６Ｒ、電飾装置７、または上受皿８ａに設ける。また、磁気振動検出ユニット２０をガラス板５ａやセンター役物１１内に設けるようにする。
すなわち、磁気振動検出ユニット２０は、遊技球の流下に影響を与えるような磁力や振動（外力）を検出可能な範囲であれば、遊技機（遊技機から離れた場所でも可）の何れに設けられても良いため、不正行為が行われやすい状況に応じて、適宜、設置位置を変更することにより、不正行為の検出精度の向上を図ることができる。
【００５８】
（変形例５）
本実施形態の磁気振動検出ユニット２０をいわゆる羽根モノ（旧２種）の遊技機に搭載する。
【００５９】
図１１に示す羽根モノの遊技機は、遊技盤４０のほぼ中央に、羽根部材６１の作動により遊技球が入球可能となる役物装置６０が配置されている。役物装置６０の内部には、遊技球が通過可能な複数の入球経路と、入球経路を通過した遊技球が入球可能な特別入球口６２が設けられており、役物装置６０に入球した遊技球が所定の入球経路を経た後、所定の確率で特別入球口６２へ入球する構造となっており、本変形例の遊技機では、この特別入球口６２への遊技球の入球を契機に、遊技者が有利な特別遊技状態を生起可能となっている。
【００６０】
この特別入球口６２の近傍における遊技盤４０の裏側に、磁気振動検出ユニット２０を配置することによって、特別入球口６２へ遊技球を誘導するような不正磁石を用いた不正行為、及び振動による不正行為を適切に検知することが可能となる。
【００６１】
（変形例６）
上述の本実施形態のアタッカー（大入賞口）１８内に、所定の条件を満たした場合にアタッカー１８に入賞済みの遊技球が通過可能な特定領域（Ｖ入賞口）（図示省略）を設け、大当り遊技の際に、アタッカー１８に入賞した遊技球が当該特定領域を通過（球検出スイッチ（図示省略）が検知）したことに基づいて、大当り遊技後の遊技を相対的に有利ないわゆる確変状態とし、当該特定領域を通過しなかった場合には、相対的に不利ないわゆる時短状態となる遊技機とした場合、アタッカー１８の近傍にも磁気振動検出ユニット２０を設置する。
【００６２】
本変形例の遊技機では、アタッカー１８の近傍で発生する振動及び磁力は、アタッカー１８に入賞した遊技球を特定領域へ遊技球を誘導するための不正行為に係る外力とみなしており、これらの振動及び磁力の外力に対して、磁気振動検出ユニット２０をアタッカー１８の近傍に設置することにより、従来はスペース等の問題により困難であった振動及び磁力という複数種類の外力を、最もこれらの外力の影響が懸念されるアタッカー１８の近傍で適切に検知することが可能となる。
【００６３】
（変形例７）
本実施形態の磁気振動検出ユニット２０における揺動部材２３の被吸引面２３４ａを、揺動部材２３が回動した際に、検出センサ２２に検出される位置に設け、被検出部２３４ｂを省略する。
【００６４】
（変形例８）
前方からの遊技盤４への衝撃（振動）に応じて、磁気振動検出ユニット２０自体が後方へ移動可能となるような可動機構（図示省略）を設ける。
可動機構として、例えば、遊技盤４の裏側に盤面に直交する前後方向を向く一対のスライドレール（図示省略）、及び磁気振動検出ユニット２０の両側板２１ｃ、２１ｃの外側面に当該スライドレールに対して前後方向に摺動可能なスライドガイド（図示省略）を設ける。
磁気振動検出ユニット２０は、スライドレールに沿って、遊技盤４の裏面に当接する第１位置から遊技盤４の裏面から後方へ所定距離（例えば２〜５ｍｍ程度）離れた第２位置へ移動（摺動）可能となっている。
また、可動機構は、磁気振動検出ユニット２０を第１位置（前方）に付勢する付勢手段（例えば、コイルばね等、図示省略）を設ける。
【００６５】
このような可動機構の構成により、磁気振動検出ユニット２０は、通常の（正常な）遊技においても発生し得るような振動では、付勢手段によって、第１位置を保持して後方へは移動せず、遊技球の転動（流下）に影響を与える振動では、付勢手段の付勢力に抗して第２位置へ移動し、その影響を受けて揺動部材２３が前後方向に確実に回動するようになるため、遊技機１を不正に振動させた際の検出精度を向上させることができる。
【符号の説明】
【００６６】
１  遊技機、４  遊技盤、４ａ  遊技領域、４ｃ  ボス、６Ｌ、６Ｒ  スピーカ、７  電飾装置、９  発射ハンドル、１２  演出表示装置、１２ａ  表示画面、１５  第１始動入賞口、１６  スルーチャッカ、１７  第２始動入賞口、１７２  揺動片、１８  アタッカー、１９  アウト口、２０  磁気振動検出ユニット、２１  箱体、２１ａ  前板、２１ｂ  背板、２１ｃ  側板、２１ｄ  底板、２１１  軸受部、２１２  位置決め突部、２１３  ネジ孔、２１６  取付片、２１６ａ  ネジ挿通孔、２１６ｂ  嵌合片、２１４  位置決め孔、２１５  ネジ孔、２２  検出センサ、２２０  ベース体、２２１  発光素子、２２２  受光素子、２２３  コネクタ、２２４  ネジ挿通孔、２２５  位置決め片、２３  揺動部材、２３１  軸部材、２３２  軸部、２３３  取付片、２３３ａ  ネジ孔、２３３ｂ  位置決め突部、２３４  揺動片、２３４ａ  被吸引面、２３４ｂ  被検出部、２３４ｃ  ネジ挿通孔、２３４ｄ  位置決め孔、２４  蓋体、２４１  開口部、２４２  位置決め孔、２４３  ネジ挿通孔、６０  役物装置、６１  羽根部材、６２  特別入球口、６２ａ  球検出センサ、７０  中羽根作動口、７１  側羽根作動口、８０  サイドランプ、９０  一般入球口
ＧＬ  ガードレール、Ｐ  遊技釘、Ｗ  風車、Ｓ１〜Ｓ４  ネジ
【図１】
2017029558.tif 000003
【図２】
2017029558.tif 000004
【図３】
2017029558.tif 000005
【図４】
2017029558.tif 000006
【図５】
2017029558.tif 000007
【図６】
2017029558.tif 000008
【図７】
2017029558.tif 000009
【図８】
2017029558.tif 000010
【図９】
2017029558.tif 000011
【図１０】
2017029558.tif 000012
【図１１】
2017029558.tif 000013